(57)【要約】【課題】  簡単に、また迅速かつ確実に通常のランドもしくはグルーブのみの光ディスクとランド／グルーブの光ディスクとを識別する。【解決手段】  再生和信号記憶／演算部１７において、光ディスクのグルーブ部／ランド部で得られた振幅最大値Ａ、Ｂについての差を演算し、ＣＰＵ４が予め決められた定数ＶDとの比較を行う。両者の差分が定数ＶD以下と判定されれば、２．３ＧＢ媒体と判定し、ＶDよりも大きいと判定された場合は、１．３ＧＢ以下媒体と判定する。【選択図】  図１
2006024334.tif 000002
【特許請求の範囲】
【請求項１】
光ディスクにレーザ光を照射し、かつ異なる記録密度で記録された前記光ディスクの再生を行う光ディスク装置において、
前記光ディスクの溝部の再生和信号振幅を検出する溝部振幅検出手段と、
前記光ディスクの溝間部の再生和信号振幅を検出する溝間部振幅検出手段と、
前記溝部の再生和信号振幅の最大振幅値と前記溝間部の再生和信号振幅の最大振幅値との差と、所定値とを比較し、前記光ディスクの種類を識別する光ディスク識別手段と
を備えたことを特徴とする光ディスク装置。
【請求項２】
前記光ディスク識別手段は、前記差が前記所定値以下の場合、前記光ディスクの種類をランド／グルーブ記録式光ディスクと判定する
ことを特徴とする請求項１に記載の光ディスク装置。
【請求項３】
前記溝部振幅検出手段は、検出した前記溝部の再生和信号振幅をＡ／Ｄ変換する溝部Ａ／Ｄ変換手段を有し、
前記溝間部振幅検出手段は、検出した前記溝間部の再生和信号振幅をＡ／Ｄ変換する溝間部Ａ／Ｄ変換手段を有し、
光ディスク識別手段は、溝部Ａ／Ｄ変換手段にてＡ／Ｄ変換された前記溝部の再生和信号振幅のデジタル値の最大値と溝間部Ａ／Ｄ変換手段にてＡ／Ｄ変換された前記溝間部の再生和信号振幅のデジタル値の最大値との差と、所定のデジタル値とを比較し、前記光ディスクの種類を識別する
ことを特徴とする請求項１に記載の光ディスク装置。
【請求項４】
前記光ディスク識別手段は、前記差が前記所定のデジタル値以下の場合、前記光ディスクの種類をランド／グルーブ記録式光ディスクと判定する
ことを特徴とする請求項３に記載の光ディスク装置。
【請求項５】
前記光ディスクは光磁気ディスクである
ことを特徴とする請求項１ないし４のいずれか１つに記載の光ディスク装置。
【請求項６】
異なる記録密度で記録された光ディスクを識別する光ディスク識別方法において、
前記光ディスクにレーザ光を照射するレーザ光照射工程と、
前記光ディスクからの戻り光に基づく再生和信号を検出する再生和信号検出工程と、
前記光ディスクの溝部の前記再生和信号の振幅を検出する溝部振幅検出工程と、
前記光ディスクの溝間部の前記再生和信号の振幅を検出する溝間部振幅検出工程と、
前記溝部の前記再生和信号の振幅の最大振幅値と前記溝間部の前記再生和信号の振幅の最大振幅値との差と、所定値とを比較し、前記光ディスクの種類を識別する光ディスク識別工程と
を備えたことを特徴とする光ディスク識別方法。
【請求項７】
前記光ディスクは光磁気ディスクである
ことを特徴とする請求項６に記載の光ディスク識別方法。
【請求項８】
前記再生和信号は、前記光磁気ディスクからの戻り光のＳ波成分とＰ波成分の加算信号である
ことを特徴とする請求項７に記載の光ディスク識別方法。
【発明の詳細な説明】
【技術分野】
【０００１】
本発明は、記録媒体にレーザ光を照射し、かつ異なる記録密度で記録された光ディスクの再生を行う光ディスク装置に関する。
【背景技術】
【０００２】
従来の光磁気記録としては、ＩＳＯ規格に代表される光磁気記録方式がよく知られている。
【０００３】
この光磁気記録においては、記録媒体の透明基板上に真空蒸着された、垂直磁化膜にレーザ光を照射し、垂直磁化膜の温度をキュリー点まで上昇させ、さらに外部磁場を印加し、外部磁場方向に垂直磁化膜を配向させることにより記録を行う。
【０００４】
これまで９０ｍｍ径の光磁気記録ではＩＳ０１００９０（１ ２ ８ＭＢ容量）、ＩＳＯ１３９６３（２３０ＭＢ容量）、ＩＳＯ１５０４１（５４ ０／６ ４ ０ＭＢ容量）のものが規格化されている。
【０００５】
さらに近年では、ＧＩＧＡＭＯ規格（１．３／２．３ＧＢ容量）が提案され、光磁気記録のさらなる大容量化が推進されている。
【０００６】
この際、光磁気媒体記録再生装置では、上記各々異なる記録容量を持つ媒体の記録、再生を正しく制御するためには、装置に記録媒体が挿入された際に、迅速に媒体の容量、種別を判別する動作が必要となる。
【０００７】
主に記録密度の向上は、記録媒体上への記録信号のスポットの縮小、すなわち記録媒体にとっては、記録面密度の向上によって担われている。
【０００８】
記録面密度を向上させる手段としては、記録媒体側では、トラックピッチを狭くする、最短記録ピット長を狭くする、という処理が取られる。
【０００９】
その他、記録面密度上昇の手法としては、記録溝凸部（以下、ランドと呼ぶ）と記録溝凹部（以下、グルーブと呼ぶ）のいずれにも信号の記録を行う、いわゆるランド／グルーブ記録というものが存在する。ＧＩＧＡＭＯ規格のうち、２．３ＧＢディスクにおいては、前記ランド／グルーブ記録を採用することにより、トラックピッチに対する効率を１．２９倍に上げている。
【００１０】
異なる記録容量の光ディスクを識別する手段としては、特開平８−１４７８６１号公報、特開平９−２０４７０５号公報等の技術が存在する。
【００１１】
特開平８−１４７８６１号公報は、ディスクが挿入された後、プレピット信号のセクタマークの形状を読み取り、その違いにより、ディスクを識別する、というものである。
【００１２】
特開平９−２０４７０５号公報は、ＣＤ系とＳＤ系で異なるディスクの識別にＴＥＳ信号の振幅もしくはオフセットを用いるというものである。
【特許文献１】特開平８−１４７８６１号公報
【特許文献２】特開平９−２０４７０５号公報
【発明の開示】
【発明が解決しようとする課題】
【００１３】
しかしながら、特開平８−１４７８６１号公報はセクタマークの信号長により、ディスクの種類を識別するものであるが、ＧＩＧＡＭＯ規格では１．３ＧＢ媒体と２．３ＧＢ媒体でセクタマーク形状が同一（6T・12T-6T-12T-6T-12T-12T・6T-12T-6T）であり、ＭＯ信号に対するプレピット信号のクロック比をそれぞれ１／２、１／３としていることより、１．３ＧＢでのクロックが１９．４〜３３．１４ＭＨｚ、２．３ＧＢのクロックが１５．４９〜２７．６６ＭＨｚとほぼ同一領域にあり、セクタマーク形状による識別は困難である。
【００１４】
また、特開平９−２０４７０５号公報の方式を光磁気ディスクに適用する場合、１２８ＭＢ〜１．３ＧＢまでは、トラックピッチの狭小化により、ＴＥＳ信号振幅の差を見ることで識別が可能であるが、２．３ＧＢ媒体ではランド／グルーブ記録を採用しているため、トラックピッチは逆に１．４μmに広がり、２３０ＭＢ媒体のトラックピッチ（１．３９μm）との区別は困難である。
【００１５】
また、いずれの媒体でも基板厚は１，２ｍｍで製作されているため、ＴＥＳ信号のオフセットにより識別することも不可能である。
【００１６】
本発明は、近年製品開発されている、レーザ光を利用し円盤上の記録媒体に、記録情報を書き込み、もしくは読み出しを行う装置において、特に記録容量の異なる記録媒体の読み出し、書き込みを正確かつ迅速に制御することにある。
【００１７】
すなわち、本発明は、上記事情に鑑みてなされたものであり、簡単に、また迅速かつ確実に通常のランドもしくはグルーブのみの光ディスクとランド／グルーブの光ディスクとを識別することのできる光ディスク装置を提供することを目的としている。
【課題を解決するための手段】
【００１８】
本発明の光ディスク装置は、
光ディスクにレーザ光を照射し、かつ異なる記録密度で記録された前記光ディスクの再生を行う光ディスク装置において、
前記光ディスクの溝部の再生和信号振幅を検出する溝部振幅検出手段と、
前記光ディスクの溝間部の再生和信号振幅を検出する溝間部振幅検出手段と、
前記溝部の再生和信号振幅の最大振幅値と前記溝間部の再生和信号振幅の最大振幅値との差と、所定値とを比較し、前記光ディスクの種類を識別する光ディスク識別手段と
を備えて構成される。
【発明の効果】
【００１９】
本発明によれば、簡単に、また迅速かつ確実に通常のランドもしくはグルーブのみの光ディスクとランド／グルーブの光ディスクとを識別することができるという効果がある。
【発明を実施するための最良の形態】
【００２０】
以下、図面を参照しながら本発明の実施例について述べる。
【実施例１】
【００２１】
図１ないし図６は本発明の実施例１に係わり、図１は光ディスク装置の構成を示す構成図、図２は図１の光ディスクが通常のランド記録ディスクである場合の光ディスクの溝形状を断面的に示した図、図３は図１の光ディスクがランド／グルーブ記録ディスクである場合の光ディスクの溝形状を断面的に示した図、図４は図２の通常のランド記録ディスクの和信号を示す図、図５は図３のランド／グルーブ記録ディスクの和信号を示す図、図６は図１の光ディスク装置の作用を説明するフローチャートである。
【００２２】
図１において、光ディスク装置１に光ディスク２が初めて投入される、もしくは光ディスク装置１に光ディスク２が予め投入されており、かつ電源を入れた場合には、光ディスク２はスピンドルモータ３により回転される。
【００２３】
回転している光ディスク２には、ＣＰＵ４の指示により、再生強度制御部５で、ＬＤドライバ６に印加する電流を決定し、ＬＤ７からコヒーレント光を発光させている。
【００２４】
ＬＤ７から発光されたコヒーレント光は、コリーメートレンズ８を通し平行光となり、ＰＢＳ９を透過し、光学ヘッド１０に到達する。
【００２５】
光学ヘッド１０では、透過したコヒーレント光を立ち上げミラー１１により、光ディスク方向へ、光軸を立ち上げて、対物光学系１２により、光ディスク２の記録／再生膜上に光スポットが最も集光するように調節されている。
【００２６】
なお、光学ヘッド１０は光ディスク２の径方向に移動することで粗シーク動作を行うと共に、対物光学系１２を径方向及び径方向に垂直な方向に微小変位させることで、公知のトラックサーボ及びフォーカスサーボを行い、所望のトラック上への光スポットの集光制御を行うことができるようになっている。
【００２７】
光ディスク記録／再生膜上に集光した再生光は、垂直磁化膜でカー回転分変動して反射し、再び光学ヘッド１０に戻ってくる。  光学ヘッド１０を介した光はＰＢＳ９で反射され、集光レンズ１９を介してＰＢＳ１３に到達する。
【００２８】
ＰＢＳ１３では、再生光をＰ波／Ｓ波に分離し、透過面、反射面に用意されたフォトディテクタ（ＰＤ）１４、１５でその強度を検出する。各ＰＤ１４、１５で検出された信号強度はＡ／Ｄ変換され再生差信号処理部１６で差分を、再生和信号処理部１７で総和を演算し、ＣＰＵ４にその演算結果を伝える。
【００２９】
ＣＰＵ４では、再生和信号処理部１７からの再生和信号強度情報についての振幅値を変換した電圧情報を再生和信号記憶／演算部１８に伝え、グルーブ／ランド部での再生和信号振幅の電圧差の演算結果をＣＰＵ４に伝える。
【００３０】
次に図２及び図３を用いて、通常のランド記録ディスク及びランド／グルーブ記録ディスクの溝形状の違いを説明する。
【００３１】
図２は通常のランド記録ディスクの溝形状を断面的に見たものであり、記録再生が行われるランド（山）部２１と、ランド間を隔てるグルーブ（谷）部２２はその深さが異なっている。
【００３２】
図３はランド／グルーブ記録ディスクの溝形状を断面的に見たものであり、通常のランド記録ディスクに比し、ランド／グルーブ記録では、ランド部２１、グルーブ２２の双方に記録再生を行うため、ランド部２１には凹穴３１、グルーブ部２２には凸山３２がアドレス信号として存在する。また、アドレス信号部前面にはアドレス信号開始を識別するセクタマーク部３３が存在するが、２．３ＧＢ媒体の場合、セクタマーク部３３はセクタマーク信号強度を一意に表すため、ランド／グルーブ間を同一の横断溝で形成している。
【００３３】
このときの、通常のランド記録ディスク及びランド／グルーブ記録ディスクの両ディスクに対する、光スポットが照射された場合の再生和信号の違いを、図４及び図５を用いて説明する。
【００３４】
図４を用いて通常のランド記録ディスクに光スポットを照射したときの再生和信号の状態について説明すると、先ずランド部２１にトラッキングしている状態では、セクタマーク信号の凹穴４１に光スポットを照射している場合（図中、光スポットSp1）は反射光量は大幅に低下し、そうでないとき（図中、光スポットSp2）に反射光量は最大となる。
【００３５】
一方、グルーブ部２２にトラッキングしている状態では、光スポットの一部がランド部２１にかかるため（図中、光スポットSp3あるいはSp4）、少量ながら反射光量の増加が見られるが、ランド部２１にセクタマークが存在する場合、反射光量が低下する。しかし、両者の光量変化要因となるランド部２１へのスポット照射領域は少ないため、和信号振幅は小さくなる。
【００３６】
次に図５を用いてランド／グルーブ記録に光スポットを照射したときの和信号振幅について説明する。
【００３７】
図３の説明でも述べたように、２．３ＧＢランド／グルーブ記録では、セクタマーク信号強度を一意に表すため、ランド／グルーブ間を同一の横断溝で形成している。
【００３８】
したがって、光スポットがランド部２１／グルーブ部２２にそれぞれ存在する（図中、光スポットSp11〜Sp14）ときの再生信号振幅は同一となる。
【００３９】
つぎに、図６のフローチャートを用いて、本実施例の動作を説明する。
【００４０】
本発明のイニシャル処理を行う場合、ステップＳ１にて、初めに光ディスク２がスピンドルモータ３に装着された状態で、スピンドルモータ３を回転させ、ディスク面上にＬＤ７からのレーザの照射を行い、光学ヘッド１０においてディスク面に対してフォーカス（以下、Ｆｏと略記する）サーボをＯＮさせる。
【００４１】
その後ステップＳ２にて、光学ヘッド１０においてトラック（以下、Ｔｒと略記する）サーボをディスク面グルーブ側に引き込む。
【００４２】
そして、ステップＳ３にて、ディスクグルーブ面に照射したレーザ光による再生光を取り入れ、グルーブ部２２における和信号を検出、Ａ／Ｄ変換し、ステップＳ４にて、そのＡ／Ｄ変換した和信号の最大値である振幅最大値ＡをＣＰＵ４を介し、再生和信号記憶／演算部１７に記憶させる。
【００４３】
次にステップＳ５にて、トラックキープ状態で、半トラックジャンプさせ、ランド部２１での再生和信号をグルーブ部２２と同様に検出、Ａ／Ｄ変換し、ステップＳ６にて、そのＡ／Ｄ変換した和信号の最大値である振幅最大値ＢをＣＰＵ４を介し、再生和信号記憶／演算部１７に記憶させる。
【００４４】
そして、ステップＳ７にて、再生和信号記憶／演算部１７において、グルーブ部２１／ランド部２２で得られた振幅最大値Ａ、Ｂについての差を演算し、予め決められた定数ＶDとの比較を行う。
【００４５】
ここでの定数ＶDは、光ディスクドライブの光学系、電気系でのノイズ成分を考え、「０」に近い十分小さな値を選択する。
【００４６】
２．３ＧＢディスクでは、ランド／グルーブ記録であり、ランド部２１とグルーブ部２２には共に、セクタ情報を表すプレピット情報が形成されており、和信号振幅最大となるセクタマーク信号がまったく同等に作られているため、和信号振幅において、ノイズ成分を除けば同じ強度で検出される。
【００４７】
そこで、両者の差分が定数ＶD以下と判定されれば、ステップＳ８にて、直ちに２．３ＧＢ媒体と判定し、後のイニシャル処理へと移行させる。
【００４８】
一方、１．３ＧＢ以下のディスクではランド記録であり、グルーブ部２２にはプレピット情報が形成されていないため、再生和信号に入って来る信号はランド部２１からの漏れ込み信号のみとなる。その信号成分は、プレピット情報が形成されているランド部２１よりも十分に小さいため、ランド／グルーブ部の差分はＶDよりも十分大きくなり、ステップＳ９にて、ＶDよりも大きいと判定された場合は、直ちに１．３ＧＢ以下媒体と判定し、ステップＳ１０にて、これまでの光ディスクドライブと同様の処理で、イニシャル時のディスク識別を行うことで、各々のディスク判別し、後のイニシャル処理へ移行させる。
【００４９】
なお、本実施例では再生和信号振幅の検出にＡ／Ｄ変換を行い、Ａ／Ｄ変換された振幅最大値の差によって判定を行ったが、Ａ／Ｄ変換を行わずに直接振幅検出を行い、その差によって判定を行っても良い。
【００５０】
また、本実施の形態では光磁気ディスクを例にとって説明したが、相変化を用いた光ディスクにおいても、ランド部２１もしくはグルーブ部２２のみに記録／再生を行うディスクと、ランド／グルーブ記録再生を行うディスクの識別方法として有効であることはいうまでも無い。
【００５１】
このように本実施例では、装置に大きな回路追加を行うことなく、ランド部２１もしくはグルーブ部２２のみに記録／再生を行うディスクと、ランド／グルーブ記録再生を行うディスクの識別を迅速かつ精度良く行うことができる。
【００５２】
本発明は、上述した実施例に限定されるものではなく、本発明の要旨を変えない範囲において、種々の変更、改変等が可能である。
【図面の簡単な説明】
【００５３】
【図１】本発明の実施例１に係る光ディスク装置の構成を示す構成図
【図２】図１の光ディスクが通常のランド記録ディスクである場合の光ディスクの溝形状を断面的に示した図
【図３】図１の光ディスクがランド／グルーブ記録ディスクである場合の光ディスクの溝形状を断面的に示した図
【図４】図２の通常のランド記録ディスクの和信号を示す図
【図５】図３のランド／グルーブ記録ディスクの和信号を示す図
【図６】図１の光ディスク装置の作用を説明するフローチャート
【符号の説明】
【００５４】
１…光ディスク装置
２…光ディスク
３…スピンドルモータ
４…ＣＰＵ
５…再生強度制御部
６…ＬＤドライバ
７…ＬＤ
８…コリーメートレンズ
９、１３…ＰＢＳ
１０…光学ヘッド
１１…立ち上げミラー
１２…対物光学系
１４、１５…ＰＤ
１６…再生差信号処理部
１７…再生和信号処理部
１８…再生和信号記憶／演算部
１９…集光レンズ
代理人    弁理士    伊藤  進
【図１】
2006024334.tif 000003
【図２】
2006024334.tif 000004
【図３】
2006024334.tif 000005
【図４】
2006024334.tif 000006
【図５】
2006024334.tif 000007
【図６】
2006024334.tif 000008